(57)【要約】【課題】ひび割れ率の算出に要する手間を軽減することができる舗装ひび割れ解析装置、舗装ひび割れ解析方法及び舗装ひび割れ解析プログラムを提供することである。【解決手段】実施形態の舗装ひび割れ解析装置は、舗装ひび割れ検出部と、ひび割れ率算出部とを持つ。ひび割れ検出部は、路面を撮影した撮影画像に基づいて、前記路面のひび割れを自動検出する。ひび割れ率算出部は、前記撮影画像に基づいて設定される起点と終点との間に、所定の面積を有する枠を設定し、設定した前記枠と、前記ひび割れとに基づいて、前記所定の面積に占めるひび割れの面積の割合を示すひび割れ率を算出する。【選択図】図１
2018021375.tif 000002
【特許請求の範囲】
【請求項１】
路面を撮影した撮影画像に基づいて、前記路面のひび割れを自動検出する舗装ひび割れ検出部と、
前記撮影画像に基づいて設定される起点と終点との間に、所定の面積を有する枠を設定し、設定した前記枠と、前記ひび割れとに基づいて、前記所定の面積に占めるひび割れの面積の割合を示すひび割れ率を算出するひび割れ率算出部と、
を備える舗装ひび割れ解析装置。
【請求項２】
前記ひび割れ率算出部は、画像上の前記ユーザが指定した起点から終点までの間を前記所定の面積を有する枠で区切り、前記所定の面積を有する枠毎に前記ひび割れ率を算出する、請求項１に記載の舗装ひび割れ解析装置。
【請求項３】
前記ユーザの指示に応じて、画像上の路面の途中で前記枠の幅及び大きさの少なくとも１つを変更する変更部をさらに備える、請求項１に記載の舗装ひび割れ解析装置。
【請求項４】
前記ひび割れ率算出部は、画像上の路面の両端の白線に基づいて、一つの白線を起点として、起点となった前記白線から他方の白線までの間で前記所定の面積を有する枠を設定する、請求項１に記載の舗装ひび割れ解析装置。
【請求項５】
前記ひび割れ率算出部は、画像に撮影されている前記路面におけるある起点から終点までの車線の幅に応じて前記所定の面積を有する枠を設定する、請求項１に記載の舗装ひび割れ解析装置。
【請求項６】
路面を撮影した撮影画像に基づいて、前記路面のひび割れを自動検出する舗装ひび割れ検出ステップと、
前記撮影画像に基づいて設定される起点と終点との間に、所定の面積を有する枠を設定し、設定した前記枠と、前記ひび割れとに基づいて、前記所定の面積に占めるひび割れの面積の割合を示すひび割れ率を算出するひび割れ率算出ステップと、
を有する舗装ひび割れ解析方法。
【請求項７】
前記ひび割れ率算出ステップにおいて、画像上の前記ユーザが指定した起点から終点までの間を前記所定の面積を有する枠で区切り、前記所定の面積を有する枠毎に前記ひび割れ率を算出する、請求項６に記載の舗装ひび割れ解析方法。
【請求項８】
前記ユーザの指示に応じて、画像上の路面の途中で前記枠の幅及び大きさの少なくとも１つを変更する変更ステップをさらに有する、請求項６に記載の舗装ひび割れ解析方法。
【請求項９】
前記ひび割れ率算出ステップにおいて、画像上の路面の両端の白線に基づいて、一つの白線を起点として、起点となった前記白線から他方の白線までの間で前記所定の面積を有する枠を設定する、請求項６に記載の舗装ひび割れ解析方法。
【請求項１０】
前記ひび割れ率算出ステップにおいて、画像に撮影されている前記路面におけるある起点から終点までの車線の幅に応じて前記所定の面積を有する枠を設定する、請求項６に記載の舗装ひび割れ解析方法。
【請求項１１】
路面を撮影した撮影画像に基づいて、前記路面のひび割れを自動検出する舗装ひび割れ検出ステップと、
前記撮影画像に基づいて設定される起点と終点との間に、所定の面積を有する枠を設定し、設定した前記枠と、前記ひび割れとに基づいて、前記所定の面積に占めるひび割れの面積の割合を示すひび割れ率を算出するひび割れ率算出ステップと、
をコンピュータに実行させるための舗装ひび割れ解析プログラム。
【請求項１２】
前記ひび割れ率算出ステップにおいて、画像上の前記ユーザが指定した起点から終点までの間を前記所定の面積を有する枠で区切り、前記所定の面積を有する枠毎に前記ひび割れ率を算出する、請求項１１に記載の舗装ひび割れ解析プログラム。
【請求項１３】
前記ユーザの指示に応じて、画像上の路面の途中で前記枠の幅及び大きさの少なくとも１つを変更する変更ステップをさらに実行させる、請求項１１に記載の舗装ひび割れ解析プログラム。
【請求項１４】
前記ひび割れ率算出ステップにおいて、画像上の路面の両端の白線に基づいて、一つの白線を起点として、起点となった前記白線から他方の白線までの間で前記所定の面積を有する枠を設定する、請求項１１に記載の舗装ひび割れ解析プログラム。
【請求項１５】
前記ひび割れ率算出ステップにおいて、画像に撮影されている前記路面におけるある起点から終点までの車線の幅に応じて前記所定の面積を有する枠を設定する、請求項１１に記載の舗装ひび割れ解析プログラム。
【発明の詳細な説明】
【技術分野】
【０００１】
本発明の実施形態は、舗装ひび割れ解析装置、舗装ひび割れ解析方法及び舗装ひび割れ解析プログラムに関する。
【背景技術】
【０００２】
従来、道路標識の状況、道路の穴、落下物等の道路の状況を管理する管理者が車載カメラで撮影された画像（撮影画像）を目視して、道路の状況の管理をする道路状況の管理方法がある。従来の道路状況の管理方法では、アスファルト舗装道路の路面性状における主要な評価指標（「舗装調査・試験法便覧（日本道路協会）」より）である「ひび割れ率」の算出を含む舗装ひび割れの解析処理には、舗装のひび割れを判断できる技術者が撮影画像から目視でひび割れ本数を確認してひび割れ率を算出するという人的作業を行っていた。このような従来のシステムでは、道路幅にそって路面上に所定距離のマス目を想定し、ひび割れ率を算出しているが、手間がかかっていた。
【先行技術文献】
【特許文献】
【０００３】
【特許文献１】特開２０１０−２８７１５６号公報
【特許文献２】特開平９−１９６６４７号公報
【特許文献３】特開２００５−２２１８８３号公報
【発明の概要】
【発明が解決しようとする課題】
【０００４】
本発明が解決しようとする課題は、ひび割れ率の算出に要する手間を軽減することができる舗装ひび割れ解析装置、舗装ひび割れ解析方法及び舗装ひび割れ解析プログラムを提供することである。
【課題を解決するための手段】
【０００５】
実施形態の舗装ひび割れ解析装置は、舗装ひび割れ検出部と、ひび割れ率算出部とを持つ。ひび割れ検出部は、路面を撮影した撮影画像に基づいて、前記路面のひび割れを自動検出する。ひび割れ率算出部は、前記撮影画像に基づいて設定される起点と終点との間に、所定の面積を有する枠を設定し、設定した前記枠と、前記ひび割れとに基づいて、前記所定の面積に占めるひび割れの面積の割合を示すひび割れ率を算出する。
【図面の簡単な説明】
【０００６】
【図１】第１の実施形態のシステム全体の概略を示す図。
【図２】車載カメラと、路面映像の一例とを示す図。
【図３】第１の実施形態の舗装ひび割れ解析装置の機能構成の一例を例示するブロック図。
【図４】第１の実施形態の路線の区間属性情報の一例を示す図。
【図５】第１の実施形態の舗装ひび割れ解析装置の動作の一例を示すフローチャート。
【図６】「ひび割れ率」算出時のマス目を手動で設定する場合の画面例を示す図。
【図７】マス目の手動設定がなされた場合の具体的な処理の一例を示す図。
【図８】第１の実施形態の舗装ひび割れ解析装置が出力する帳票の一例を示す図。
【図９】第１の実施形態の舗装ひび割れ解析装置が出力する帳票の他の一例を示す図。
【図１０】第１の実施形態の舗装ひび割れ解析装置の解析処理の一例を示す図。
【図１１】第１の実施形態のひび割れ重畳画像とひび割れ率の算出結果の一例を示す図。
【図１２】第１の実施形態の舗装ひび割れ解析装置が作成する地理情報を用いた表示データの一例を示す図。
【図１３】第１の実施形態の舗装ひび割れ解析装置が生成する複数のひび割れ重畳画像を含む画面データの一例を示す図。
【図１４】第１の実施形態の舗装ひび割れ解析装置が算出するひび割れ率の変化の一例を示す図。
【図１５】第２の実施形態のひび割れ解析システムの機能構成の一例を例示するブロック図。
【図１６】第２の実施形態の舗装ひび割れ解析装置１ａの動作の一例を示すフローチャート。
【図１７】第３の実施形態のひび割れ解析システムの機能構成の一例を例示するブロック図。
【図１８】第３の実施形態の舗装ひび割れ解析装置の動作の一例を示すフローチャート。
【図１９】第３の実施形態の舗装ひび割れ解析装置の編集処理の一例を示す図。
【図２０】第３の実施形態の舗装ひび割れ解析装置の編集処理の一例を示す図。
【図２１】第３の実施形態の舗装ひび割れ解析装置が出力する帳票の他の一例を示す図。
【発明を実施するための形態】
【０００７】
以下、実施形態の舗装ひび割れ解析装置、舗装ひび割れ解析方法及び舗装ひび割れ解析プログラムを、図面を参照して説明する。
本実施形態においてひび割れ解析装置は、舗装のひび割れ（舗装ひび割れ）を解析する舗装ひび割れ解析装置を例示して説明する。
【０００８】
＜第１の実施形態＞
本実施形態のシステム全体の概略について説明する。
図１は、第１の実施形態のシステム全体の概略を示す図である。図１において、ひび割れ解析システム（ひび割れ解析装置）は、車載カメラで撮影した画像データから画像処理によって自動的にひび割れを検出し、舗装の劣化を評価する指標の一つである「ひび割れ率」を算出するシステムである。ここで、ひび割れ率とは、真上から見た路面上に１辺が所定の長さ（例えば、１辺が０．５ｍ）のマス目（メッシュ）を想定し、マス目の中に存在するひびの本数に基づき、舗装ひび割れの面積に基づき算出される値である。ひび割れ解析システムは、車載カメラに関する情報（カメラの向き・高さ・機種・位置情報）、路面の画像データ、路線の区間属性情報及びマス目の設定情報を入力情報とする。そして、ひび割れ解析システムは、入力情報に基づいて、ひび割れ検出結果及びひび割れ率の算出結果を画像データや帳票、画面により出力する。
【０００９】
図２は、車載カメラと、路面映像の一例とを示す図である。図２（Ａ）は、車載カメラの配置の一例を示す図である。図２（Ｂ）は、車載カメラで撮影された路面映像の一例を示す図である。図２（Ａ）において、車両２０のルーフには、車載カメラ２１とＧＰＳ（Global Positioning System）受信機２２が搭載されている。車載カメラ２１は、車両２０の進行方向に対して後ろ向きに配置されている。なお、車載カメラ２１は、撮影する路面の範囲に合せて、路面に対する俯角、路面からの高さ及び車両２０の進行方向に対する撮影方向の偏角（水平方向の首振り角度）等のカメラの向きを調整して固定される。例えば、２車線の路線の片側を走行して１車線分の路面を撮影する場合と、２車線分の路面を撮影する場合とでは、カメラの向き（主に偏角）を変更する必要がある。
【００１０】
ＧＰＳ受信機２２は、車両２０のルーフにおいて車載カメラ２１の近傍に配置されて、ＧＰＳ衛星から位置データを取得して、位置データ取得部１０１３に対して位置データを出力する。ＧＰＳ受信機２２は、方位や加速度を測定してもよい。方位や加速度を測定することにより、車両２０の進行方向や進行速度を推測することができるので、例えばトンネル内や山間部においてＧＰＳ衛星からの電波を捕捉できず位置データを取得できない場合であっても、位置データを取得することが可能となる。
【００１１】
なお、車両２０には図示しない路面を照射するライトを搭載してもよい。日中は太陽光によって路面に樹木や構造物の影ができるため、影の影響を少なくする画像処理が必要になり、画像処理によって舗装のひび割れの検出精度が低下する場合がある。ライトで路面を照射することにより、太陽光による影響の無い夜間に路面を撮影してひび割れの検出精度を向上させることが可能となる。また、ライトで路面を照射することにより、日中であっても太陽光の影の影響を少なくしてひび割れの検出精度を向上させることが可能となる。
【００１２】
図２（Ｂ）に示す路面映像は、走行中の片側の車線の路面を撮影した映像である。すなわち、図２（Ｂ）において、車両が片側車線の中央を走行したときに、大凡、図示左端に中央線（センターライン）が撮影されるようにカメラの向きが調整される。また、図２（Ｂ）において、右端には車両の進行方向左側の車線外側線が撮影されている。カメラの向きを撮影範囲に合せることにより、必要十分な路面の範囲の撮影画像を取得することができる。図２（Ｂ）は、路面を斜め上から俯瞰した映像とともに、背景が撮影されている。路面とともに背景を撮影することにより、撮影された背景の一致によって撮影位置を特定することが容易となる。
【００１３】
図３は、第１の実施形態の舗装ひび割れ解析装置の機能構成の一例を例示するブロック図である。
図３において、舗装ひび割れ解析装置１は、解析情報入力部１０１、設定情報登録部１０２−１、領域情報登録部１０２−２、入力情報取得部１０３、解析作業者登録部１０４、入力情報記憶部１０５、舗装ひび割れ検出部１０６、ひび割れ率算出部１０７、点検結果データ記憶部１０８、点検結果出力部１０９、帳票作成・出力部１１０、表示制御部１１１、及び表示部１１２を持つ。
【００１４】
解析情報入力部１０１は、解析対象の画像等を取り込むための入力部であり、撮影画像取得部１０１１、区間属性情報入力部１０１２、及び位置データ取得部１０１３を持つ。
撮影画像取得部１０１１は、車載カメラ２１で路面を撮影した撮影画像のデータを取得する。撮影画像取得部１０１１と車載カメラ２１の接続は、有線によって接続されるものであっても、無線によって接続されるものであってもよい。
【００１５】
例えば、舗装ひび割れ解析装置１を車両に搭載する場合、撮影画像取得部１０１１と車載カメラ２１との間を有線又は無線のいずれで接続してもよい。また、舗装ひび割れ解析装置１を車外に設置する場合、舗装ひび割れ解析装置１の撮影画像取得部１０１１と車載カメラとの間を無線接続する。また、撮影画像データは、現在車載カメラで撮影されているデータであってもよいし、過去に車載カメラで撮影されて録画されたデータであってもよい。
【００１６】
区間属性情報入力部１０１２は、解析対象の路線の区間属性情報を取得する。区間属性情報は、路面を撮影する路線の区間毎に定められた属性の情報である。属性の情報とは、例えば、「道路」、「橋梁」、「トンネル」等の情報である。区間属性情報には、路線名、区間番号、区間の起点、区間の終点等の情報が含まれていてもよい。各路線は、起点からの距離に対応した区間に区切られており、区間毎に区間の属性（区間属性）が定められる。路線の区間属性情報は、図示しないＰＣ等において作成することができる。
【００１７】
図４は、路線の区間属性情報を入力するときのＰＣ等の情報入力装置の画面を例示している。図４において、路線の区間属性情報は、「路線名」、「測定日」、「天候」、「区間番号」、「距離標」、「位置情報」、「属性」、及び「処理要否」の情報を持っている。
「路線名」は、道路に付けられた名称である。「測定日」は、路面映像を撮影した日である。「天候」は路面映像を撮影したときの天候である。「区間番号」は、路線を所定の区間で区切った区間の番号である。「距離標」は、路線の起点（０ｍ）からの、各区間の起点と終点の距離を示している。「位置情報」は、各距離標で示される距離の起点の位置情報（例えば、緯度、経度）及び終点の位置情報（例えば、緯度、経度）を示している。
【００１８】
「属性」は、その区間の属性（区間属性）を示している。属性は、「道路」、「橋梁」、「トンネル」等である。属性が異なる場合、必要な点検項目や点検結果の報告方法が異なる場合がある。本実施形態における区間は、路線を所定の距離毎に区切ったものである。例えば、区間番号が１及び２の区間は、路線を１００ｍ毎に区切った区間である。また、属性が「橋梁」や「トンネル」の区間は「道路」とは異なる区間としている。例えば、区間番号が４の区間は、属性が「橋梁」であり、起点が２２０ｍ、終点が３２０ｍであり、起点０ｍから１００ｍ毎に区切られた属性が「道路」の区間とは区切り方を異にしている。同様に、区間番号が７の区間は、属性が「トンネル」であり、起点が４３０ｍ、終点が５８０ｍである。
【００１９】
「処理要否」は、ひび割れの解析処理の要否を区間毎に設定するものである。本実施形態においてひび割れの解析処理を行なうのは、属性が「道路」である区間のみとする。すなわち、図４に示した路線の区間属性情報は、区間番号が１、２、３、５、６、８等の属性が「道路」である区間毎に、ひび割れ率を算出すべきことを示している。区間毎のひび割れ率は、距離標で示された始点と終点の間の距離における平均値で求めることができる。区間属性情報入力部１０１２は、区間属性情報を、ネットワークを介して接続されたＰＣ等、又は、記録媒体を介して取得してもよい。
【００２０】
図３に戻って、舗装ひび割れ解析装置１の説明を続ける。
位置データ取得部１０１３は、撮影画像を撮影したカメラの位置データを取得する機能部であり、例えば図２（Ａ）に示すＧＰＳ受信機２２から経緯度情報を取得する。なお、位置データには、緯度経度の情報に加えて、高度、速度、日時等の情報が含まれてもよい。位置データは、山間部やトンネル内においては、ＧＰＳ衛星からの電波が届きにくいため、カメラを搭載した車両の速度の情報や加速度の情報を用いて補正してもよい。
【００２１】
解析情報入力部１０１は、撮影画像取得部１０１１で取得した撮影画像のデータ、区間属性情報入力部１０１２で取得した路線の区間属性情報、及び位置データ取得部１０１３で取得した位置データを入力情報取得部１０３に出力する。
【００２２】
設定情報登録部１０２−１は、カメラ向き入力部１０２１、カメラ高さ入力部１０２２、カメラ機種情報等入力部１０２３及び解析作業者情報入力部１０２４を持つ。
カメラ向き入力部１０２１は、路面に対するカメラの俯角、カメラを積んだ車両の進行方向に対する撮影方向の偏角等の車載カメラの向きの情報を取得する。カメラ高さ入力部１０２２は、車載カメラの路面からの高さの情報を取得する。また、カメラ機種情報等入力部１０２３は、カメラの型式、カメラのレンズの焦点距離、撮影する画像サイズ等のカメラ機種情報等の情報を取得する。解析作業者情報入力部１０２４は、舗装ひび割れ解析装置１において解析作業を行なう解析作業者の情報を取得する。解析作業者の情報は、例えば解析作業者の氏名、ＩＤ（identification）等である。
【００２３】
設定情報登録部１０２−１は、カメラ向き入力部１０２１で取得した向きの情報、カメラ高さ入力部１０２２で取得した高さの情報、カメラ機種情報等入力部１０２３で取得したカメラ機種情報、解析作業者情報入力部１０２４で取得した解析作業者の情報を解析作業者登録部１０４に登録する。以下、解析作業者登録部１０４に登録される情報を登録情報と記載する。
【００２４】
領域情報登録部１０２−２は、マス目設定情報入力部１０２５を持つ。領域情報登録部１０２−２は、ひび割れ率の算出に用いられるための、路面を区切るマス目（メッシュ）の設定に関する情報（以下、「マス目設定情報」という）の入力を受け付けるマス目設定情報入力部１０２５を持つ。設定情報には、路面を区切るマス目の座標情報（Ｘ座標、Ｙ座標、枠の横の長さ、枠の縦の長さ）等が含まれる。
【００２５】
入力情報取得部１０３は、解析情報入力部１０１が入力情報を取得されたことを検出すると、解析情報入力部１０１から取得した入力情報を入力情報記憶部１０５に記憶する。
解析作業者登録部１０４は、設定情報登録部１０２−１によって登録された登録情報を入力情報記憶部１０５に記憶する。
【００２６】
入力情報記憶部１０５は、入力情報取得部１０３が取得した入力情報と、解析作業者登録部１０４が取得した登録情報を記憶する。入力情報記憶部１０５には、例えば、ハードディスクドライブ等の記憶装置を用いることができる。
舗装ひび割れ検出部１０６は、入力情報記憶部１０５に記憶された撮影画像から舗装のひび割れを検出することによってひび割れ形状データを生成する。舗装のひび割れとは、舗装表面に発生したアスファルトのひび割れである。ひび割れ形状データとは、ひび割れの形状を示すデータであり、ひび割れの形状は、ひび割れの長さ、ひび割れの位置、ひび割れの幅、ひび割れの深さ等で表される。ひび割れ形状データは、ひび割れの形状を画像で表したラスタデータであってもよいし、ひび割れの形状を数値で表したベクタデータであってもよい。ひび割れ形状データは、ひび割れの幅、深さ等の形状を線分の太さや色を変えて表現してもよい。
【００２７】
舗装ひび割れ検出部１０６は、生成したひび割れ形状データを、撮影画像取得部１０１１から取得された撮影画像に重畳したひび割れ重畳画像を生成する画像生成部を持つ。舗装ひび割れ検出部１０６は、ひび割れ形状データにおいて、ひび割れの形状を色付けした線分で表現する。ひび割れの形状を表す線分の色や線分の太さは、ひび割れの形状により、又は設定により変更できるようにしてもよい。ひび割れ重畳画像は、撮影画像とひび割れの形状を示すラスタデータの組み合わせ、又は撮影画像とひび割れの形状を示すベクタデータの組み合わせであってもよい。ひび割れの形状を示すベクタデータは、ひび割れ重畳画像を表示するときに画像化（ラスタライズ）されて撮影画像と重畳することができる。
【００２８】
また、舗装ひび割れ検出部１０６は、撮影画像を正射影変換する。車載カメラは、上述の通り、路面に対して所定の俯角で配置されるため、撮影画像が路面を斜めから見た画像となる。撮影画像を正射影変換することにより、撮影画像は路面を真上から見たオルソ画像（Ortho Image）に変換される。ひび割れ率算出部１０７に出力されるひび割れ形状データは、路面を真上から見たときのひびの形状を示すものである。舗装ひび割れ検出部１０６は、生成したひび割れ形状データと、オルソ画像と、検出したひび割れが路面のどの位置あったかを示す位置データとをひび割れ率算出部１０７に出力する。
【００２９】
舗装ひび割れ検出部１０６は、ひび割れ率算出部１０７に出力するひび割れ形状データとして、例えば、ひび割れの形状を示すベクタデータを用いる。ひび割れの形状を路面上の座標データとして含むベクタデータを用いることにより、ひび割れ率算出部１０７において、後述するマス目の範囲におけるひび割れの本数のカウントが容易になる。ひび割れ率算出部１０７に出力する位置データは、位置データ取得部１０１３から取得されたカメラの位置データに基づき算出することができる。また、舗装ひび割れ検出部１０６は、検出したひび割れ形状データと、生成したひび割れ重畳画像と、オルソ画像とを、点検結果データ記憶部１０８に記憶する。
【００３０】
ひび割れ率算出部１０７は、ひび割れ形状データと、オルソ画像と、位置データと、マス目設定情報とに基づいてひび割れ率を算出する。
点検結果データ記憶部１０８は、ひび割れ形状データと、ひび割れ重畳画像と、オルソ画像と、マス目毎の舗装ひび割れの本数と、ひび割れ率とを記憶する。
【００３１】
点検結果出力部１０９は、点検結果データ記憶部１０８に記憶されたひび割れ重畳画像と、ひび割れ率を舗装ひび割れ解析装置１の外部の装置に出力する。外部の装置とは、例えば図示しない他のコンピュータシステム、記録メディアにデータを記憶する記憶装置等である。点検結果出力部１０９は、ひび割れ重畳画像を、例えば、フレーム画像又はオルソ画像として舗装ひび割れ解析装置の外部の装置に出力する。
【００３２】
ひび割れ重畳画像のフレーム画像とは、路面を斜めから見た撮影画像の１フレーム毎にひび割れ形状データを重畳したものである。また、ひび割れ重畳画像のオルソ画像とは、路面を真上から見た撮影画像の１フレーム毎にひび割れ形状データを重畳したものである。点検結果出力部１０９は、静止画像のひび割れ重畳画像を連続して出力することにより、ひび割れ重畳画像を動画のように再生させることが可能となる。
【００３３】
帳票作成・出力部１１０は、点検結果データ記憶部１０８に記憶された情報に基づき、所定の帳票を作成して舗装ひび割れ解析装置１の外部又は表示制御部１１１に出力する。
表示制御部１１１は、点検結果データ記憶部１０８に記憶されたひび割れ重畳画像、ひび割れ率等の点検結果に基づき表示用の画面データを生成して表示部１１２に出力する。
表示部１１２は、表示制御部１１１から入力された画面データを画面表示する。表示部１１２は、例えば、液晶表示装置である。
【００３４】
次に、第１の実施形態の舗装ひび割れ解析装置の第１の動作を説明する。図５は、第１の実施形態の舗装ひび割れ解析装置の動作の一例を示すフローチャートである。
入力情報取得部１０３は、解析情報入力部１０１から入力される入力情報があるか否かを判断する（Ｓ１１）。入力情報は、例えば、撮影画像のデータ、路線の区間属性情報、及び位置データである。
【００３５】
入力情報がないと判断された場合（Ｓ１１；ＮＯ）、図５のフローチャートに示す処理を終了する（エンド）。なお、終了された処理は、再び開始（スタート）されて、Ｓ１１の処理が実行される。
一方、入力情報があると判断された場合（Ｓ１１；ＹＥＳ）、入力情報取得部１０３は、入力情報を入力情報記憶部１０５に登録（記憶）する（Ｓ１２）。入力情報記憶部１０５は、入力情報取得部１０３が取得した撮影画像のデータを、位置データ取得部１０１３が取得した位置データに対応付けて記憶する。ここで、位置データは、例えば撮影画像の静止画ファイルフォーマットに撮影条件として記録されてもよい。取得された撮影画像が動画である場合には、動画は複数の静止画に変換されて、変換されたそれぞれの静止画の静止画ファイルフォーマットに位置データを記録してもよい。撮影画像の動画から静止画への変換は、例えば入力情報取得部１０３が実行してもよい。
【００３６】
動画を静止画に変換する際には、数フレーム毎に１つの静止画を生成する所謂コマ落としを行ってもよい。また、位置データの対応付けは静止画に対してではなく、動画に対して行ってもよい。位置データの対応付けを動画に対して行なうには、例えば、動画の記録に同期させて位置データを対応付けて逐次記録するようにしてもよい。撮影画像に位置データを対応付けて記憶させることにより、取得された撮影画像の撮影位置を特定することが可能になる。撮影画像の撮影位置を特定することにより、例えば、同じ撮影位置において異なる日時で撮影された撮影画像同士を比較することが容易になる。
【００３７】
なお、ＧＰＳ受信機２２等の精度の影響により取得した位置データに測定誤差がある場合、複数の撮影画像の位置データが同じでも、実際の撮影位置が異なることがある。この場合、撮影画像に含まれる路面に設置された構造物又は背景の一致に基づき、実際の撮影位置が同じかどうか判定する。ここで、路面に設置された構造物とは、例えば、中央線、車線外側線、横断歩道等の白線、電柱、標識又はガードレール等である。また、背景とは、路面と同時に撮影される建屋、樹木等である。
【００３８】
本実施形態では、車載するカメラに所定の俯角を設けることにより、撮影画像に路面と同時に撮影される構造物や背景（構造物等）を含ませている。撮影画像に含まれる構造物等の一致を判定することにより、複数の撮影画像の中から撮影位置が一致した撮影画像を特定することができる。撮影位置が一致した撮影画像の位置データに基づき、他の撮影画像の位置データを補正することができる。また、位置データの補正は、ＧＰＳ受信機２２によって測定される走行中の加速度、方位等の情報から行なうようにしてもよい。
【００３９】
Ｓ１２の処理が実行された後、解析作業者登録部１０４は、設定情報登録部１０２−１から入力される登録情報があるか否かを判断する（Ｓ１３）。
登録情報がないと判断された場合（Ｓ１３；ＮＯ）、図５のフローチャートに示す処理を終了する（エンド）。なお、終了された処理は、再び開始（スタート）されて、Ｓ１３の処理が実行される。
一方、登録情報があると判断された場合（Ｓ１３；ＹＥＳ）、解析作業者登録部１０４は、登録情報を入力情報記憶部１０５に登録（記憶）する（Ｓ１４）。
【００４０】
Ｓ１４の処理が実行された後、舗装ひび割れ検出部１０６は、入力情報記憶部１０５に記憶された撮影画像のデータを、オルソ画像に変換した後、オルソ画像から舗装ひび割れを検出する（Ｓ１５）。舗装ひび割れ検出部１０６は、撮影画像の輝度情報を微分処理することにより、輝度の変化の大きい部分を舗装のひび割れと判断することで、舗装のひび割れを検出することができる。
【００４１】
例えば、樹木の影は輝度の変化が少ないため、舗装のひび割れと判断しない。また、路面の汚れ、落ち葉等の落下物、電線等の構造物の影は、その形状から舗装のひび割れではないと判断することができる。舗装ひび割れ検出部１０６は、検出した舗装ひび割れからひび割れ形状データを生成する。舗装ひび割れ検出部１０６は、生成したひび割れ形状データと、撮影画像とを用いてひび割れ重畳画像を作成（生成）する（Ｓ１６）。
【００４２】
舗装ひび割れ検出部１０６は、生成したひび割れ形状データと、オルソ画像と、検出したひび割れが路面のどの位置あったかを示す位置データとをひび割れ率算出部１０７に出力する。舗装ひび割れ検出部１０６は、ひび割れ重畳画像と、オルソ画像とを点検結果データ記憶部１０８に記憶する。
【００４３】
領域情報登録部１０２−２は、ユーザからの指示に基づいて、点検結果データ記憶部１０８に記憶されているオルソ画像を読みだし、読み出したオルソ画像を表示装置に表示する。その後、領域情報登録部１０２−２は、ユーザの操作に応じたマス目設定情報を登録する（Ｓ１７）。ここで、図６及び図７を用いて、「ひび割れ率」算出時のマス目を手動で設定する場合の登録処理について説明する。
【００４４】
図６は、「ひび割れ率」算出時のマス目を手動で設定する場合の画面例を示す図である。図６に示す画面は、ユーザ（例えば、解析作業者）が不図示の入力装置を操作することによって領域情報登録部１０２−２に表示される。なお、図６に示す画面は、領域情報登録部１０２−２に限らず他の表示装置に表示されてもよい。図６において、表示装置には、領域３０及び領域３１が表示される。領域３０には、点検結果データ記憶部１０８に記憶されているオルソ画像が表示される。領域３１には、マス目設定情報の登録対象となるオルソ画像が表示される。
【００４５】
ユーザ（例えば、解析作業者）が、不図示の入力装置を用いて、領域３０に表示されたオルソ画像においてマス目設定情報を登録する対象となる範囲３２を指定すると、指定された範囲のオルソ画像３３が領域３１に表示される。その後、ユーザは、オルソ画像３３が表示された画面上で、マス目の設定範囲として、左端（起点）と右端（終点）の位置を入力装置で指定することにより、ひび割れ率を算出する対象となる範囲を設定することができる。例えば、ユーザによって指定された左端（起点）と右端（終点）の範囲は、図６における判定枠起点と、判定枠終点とに表示される。また、ユーザは、領域３１に表示されている判定枠を操作することにより、マス目の範囲であるＸ方向、Ｙ方向の１辺の長さを設定することができる。このように、ユーザは、マス目の設定開始位置と幅を自由に設定することができる。
【００４６】
図７は、マス目の手動設定がなされた場合の具体的な処理の一例を示す図である。図７の左には、オルソ画像３３に設定された設定情報の一例が示されている。図７では、理解の簡単化のため、マス目設定情報がオルソ画像の画像番号（画像ＩＤ）に対応付けて１マス毎に縦に列挙されているが、マス目設定情報はオルソ画像１枚につき１レコードで構成される。すなわち、図７のマス目設定情報では、“０，１７５：０：１００：１００．２７５：０：１００：１００．３７５：０：１００：１００．・・・”のように１レコードで構成される。また、図７において、“１７５：０：１００：１００”は、Ｘ座標が“１７５”、Ｙ座標が“０”、Ｘ方向の画素サイズが“１００Ｐｘ”、Ｙ方向の画素サイズ“１００Ｐｘ”であることを表す。設定完了の指示が入力されると、領域情報登録部１０２−２はマス目設定情報をＣＳＶ（Comma-Separated Values又はCharacter-Separated Values）形式のデータ等の行と列を表現できるデータ形式で作成し、ひび割れ率算出部１０７に出力する。
【００４７】
ひび割れ率算出部１０７は、舗装ひび割れ検出部１０６から出力されたオルソ画像と、ひび割れ形状データと、位置データと、領域情報登録部１０２−２から出力されたマス目設定情報とに基づいて舗装ひび割れの本数をマス目毎にカウントする（Ｓ１８）。具体的には、まずひび割れ率算出部１０７は、オルソ画像に対して位置データで示される位置に対応するひび割れ形状データを重畳する。次に、ひび割れ率算出部１０７は、ひび割れ形状データが重畳されたオルソ画像に対して、マス目設定情報で示されるマス目を設定する。そして、ひび割れ率算出部１０７は、マス目（メッシュ）に含まれる舗装ひび割れの本数をマス目毎にカウントする。
【００４８】
その後、ひび割れ率算出部１０７は、カウントした本数に応じてひび割れ率をマス目毎に算出する（Ｓ１９）。例えば、マス目の中にひびが２本以上ある場合は、０．２５ｍ２（１００％）であると算出する。同様に、マス目の中にひびが１本の場合は、０．１５ｍ２（６０％）、マス目の中にひびが０本の場合は、０ｍ２（０％）と算出する。すなわち、
ひび割れ率（％）＝１００×（ひび割れの面積）／（調査区間の面積）
である。
【００４９】
ひび割れ率算出部１０７は、算出したひび割れ率を点検結果データ記憶部１０８に記憶する。また、ひび割れ率算出部１０７は、ひび割れ率の算出に用いたマス目毎のひびの本数をマス目の位置データとともに点検結果データ記憶部１０８に記憶する。マス目毎のひびの本数は、ＣＳＶ形式のデータ（ＣＳＶデータ）等の行と列を表現できるデータ形式で記憶される。例えば、ＣＳＶデータを用いる場合、ＣＳＶデータの１行又は１列がマス目毎の大きさ（例えば、０．５ｍ）に対応するため、マス目の位置データはＣＳＶデータの行数又は列数によって表現される。
【００５０】
ひび割れ率又はひびの本数は、例えば表示部１１２に表示される色分けやアイコン等によって表現されてもよい。本実施形態では、ひび割れ率、ひびの本数、又はそれらを表現した色分け等を「ひび割れデータ」というものとする。ひび割れデータには、ひび割れ率又はひび割れ本数の数値、ひび割れ率又はひび割れ本数の数値に基づく色分け、マークの形状等を含むものとする。例えば、「ひび割れデータを表示する」という場合、ひび割れ率又はひび割れ本数の数値を表示する場合と、ひび割れ率又はひび割れ本数の数値に基づく色やマークを表示する場合を含む。ひび割れデータはマス目毎に設定されるが、例えば所定の範囲のマス目のひび割れデータに対して、平均値等を算出したものをひび割れデータとしてもよい。本実施形態では、行と列を表現できるデータ形式としてＣＳＶデータを用いる場合を説明したが、行と列を表現できるデータ形式はＣＳＶデータに限定されるものではなく、例えば表計算アプリケーションで用いられるデータ形式であってもよい。
【００５１】
Ｓ１９の処理が実行された後、帳票作成・出力部１１０は、点検結果データ記憶部１０８に記憶された情報に基づいて帳票を作成する（Ｓ２０）。ここで、図８及び図９を用いて、帳票作成・出力部１１０によって作成された帳票の一例を説明する。図８は、帳票の一例を示す図である。また、図９は、帳票の他の一例を示す図である。
図８及び図９に示す帳票は、帳票のフォーマットが予め定められており、従来、人的作業で作成されていたものである。舗装ひび割れ解析装置は、ひび割れ率等の検査結果に基づき帳票を作成・出力することにより、帳票作成の作業を省力化することができる。
【００５２】
図８において、「平均ひび割れ（％）」の記載項目には、検査対象の路線全区間におけるひび割れ率の平均値を算出した結果が入力される。「区間」の「起点」と「終点」の記載項目には、図４で説明した、路線の区間属性情報の「距離標」のデータが入力される。なお、図８は、図示する区間に属性が橋梁やトンネルの区間が存在しない場合を例示している。
【００５３】
「位置情報」の記載項目には、路線の区間属性情報の「距離標」のデータに基づき、位置データ取得部１０１３が取得した位置データが入力される。なお、ＧＰＳの測定データには誤差が含まれる場合があるため、帳票に入力する位置データは補正されたものであってもよい。位置データの補正は、上述のように方位や加速度によって行なうことができる。また、車両は常に道路上を走行するため、地図上に示される位置データの位置が道路上に存在するように補正するようにしてもよい。「区間距離」と「点検年月」の記載項目は、路線の区間属性情報のデータをそのまま入力することができる。
【００５４】
図９において、「ひび割れ  ％」の記載項目は、所定の区間におけるひび割れ率の平均値が入力される。図９は、起点０ｍからの距離が１００ｍ〜２００ｍの区間における平均のひび割れ率が算出されて取得される。さらに１００ｍ〜２００ｍの区間における代表的なひび割れ重畳画像とマス目毎のひび割れ率の分布が入力される。
【００５５】
なお、図８及び図９に示した帳票作成・出力部１１０が作成した帳票は、所定の文書フォーマットで出力することができる。また、作成された帳票は、表示制御部１１１を介して表示部１１２から画面表示してもよい。なお、作成される帳票は、複数の種類の中から利用者が選択するようにしてもよい。また、帳票に入力される情報を利用者が選択又は修正できるようにしてもよい。
【００５６】
Ｓ２０の処理が実行された後、表示制御部１１１は、表示部１１２に点検結果を示す画面を表示する（Ｓ２１）。表示部１１２に表示する点検結果は、例えば、ひび割れ重畳画像、ひび割れ率、又はそれらのデータに基づきＳ２０において作成された帳票である。
Ｓ２１の処理が実行された後、図５のフローチャートに示す処理を終了する。
【００５７】
次に、第１の実施形態の舗装ひび割れ解析装置の解析処理を説明する。
図１０は、表示部１２に表示される表示画面の一例である。図１０は、舗装ひび割れ解析装置がひび割れ重畳画像を生成し、ひび割れ率を算出している様子を示している。
舗装ひび割れ解析装置は、車載カメラ２１から取得される撮影画像に基づき、撮影と同時進行でひび割れ重畳画像を生成しながらひび割れ率を算出していることを示している。
【００５８】
図１０において、表示部１１２は、撮影画像１１２１、ひび割れ重畳画像１１２２、所定の範囲においてカウント中のひび割れ本数の分布（カウント中ひび割れ分布）１１２３、ひび割れ率１１２４、及び所定の範囲においてカウントが完了した最終的なひび割れ本数の分布（最終ひび割れ分布）１１２５の各データを表示する。
【００５９】
撮影画像１１２１は、車載カメラ２１によって撮影された走行中の片側車線を撮影した撮影画像を表示したものである。すなわち、図１０において表示するひび割れ重畳画像やひび割れ率は、走行中の片側車線についての分析結果を示す。撮影画像１１２１に表示される撮影画像は、車両２０の走行にともなって、画像が図１０図示上方（車両の後方）に流れていく。撮影画像１１２１は、車載カメラ２１によって撮影された元画像に対して所定の範囲で切り出された（トリミングされた）画像であってもよい。
【００６０】
ひび割れ重畳画像１１２２は、撮影画像１１２１に表示された撮影画像に対して、舗装ひび割れを重畳した画像を表示したものである。ひび割れ重畳画像１１２２に図示している路面上のひび割れは、視認しやすい様に所定の色で色付けされて所定の太さの線分で表現されたひび割れ形状データである。ひび割れ重畳画像１１２２は、車両の走行により上方に画像が流れる撮影画像に合せて新たに検出された舗装ひび割れを重畳していく。
【００６１】
カウント中ひび割れ分布１１２３及び最終ひび割れ分布１１２５は、ひび割れ重畳画像１１２２をオルソ画像に変換したものに、設定情報で示されるメッシュのマス目を重畳し、マス目毎にひび割れの本数のカウント結果を表示したものである。
カウント中ひび割れ分布１１２３は、図示左側から右側に向けてひび割れの本数のカウントが進行していることを示している。カウント中ひび割れ分布１１２３の図示左右方向は、ひび割れ重畳画像１１２２の上下方向に対応している。すなわち、車両２０が進行すると、ひび割れ重畳画像１１２２は下から上に向けて画像が流れていく。
【００６２】
それに対して、カウント中ひび割れ分布１１２３のひび割れ分布の図は、左から右に向けてカウント結果が表示されたマス目が増えていく様子を示している。図１０では左から７マスまでひび割れのカウント結果が表示されたことを示している（次に８マス目のカウント結果が表示される）。カウント中ひび割れ分布１１２３のマス目の表示が一番右の１３マス目まで達すると、路面長６．５ｍの範囲のひび割れのカウントが終了する。１３マス目まで達したカウント中ひび割れ分布１１２３の表示は、最終ひび割れ分布１１２５に移動して表示される。最終ひび割れ分布１１２５に表示が移動すると、カウント中ひび割れ分布１１２３の表示は消去されて、再び左端から次の範囲の路面のひび割れのカウント結果を示すマス目が表示されていく。
【００６３】
カウント中ひび割れ分布１１２３及び最終ひび割れ分布１１２５に図示するハッチングは、ひび割れのカウント数を色分けして表示していることを示している。すなわち、マス目にハッチングがない部分は、その範囲にひび割れがカウントされなかった部分であり、マス目は緑色で表示される。すなわち、緑で表示されたマス目はひび割れ率０％である。マス目に薄いハッチングがされた部分は、ひび割れが１本カントされた部分であり、マス目は黄色で表示される。すなわち、黄色で表示されたマス目はひび割れ率６０％である。さらに、マス目に濃いハッチングがされた部分は、ひび割れが２本以上カントされた部分であり、マス目は赤色で表示される。すなわち、赤色で表示されたマス目はひび割れ率１００％である。
【００６４】
なお、カウント中ひび割れ分布１１２３及び最終ひび割れ分布１１２５の図示上下方向は、マス目が７個分であり、すなわち走行中の車線幅は約３．５ｍであることを示している。道路の幅方向に合せて表示されるマス目の数が増減されようにしてもよい。
また、色分けされて表示されたマス目毎のひび割れのカウント結果は、例えばＣＳＶデータとして点検結果データ記憶部１０８に記憶される。車線幅３．５ｍ×路面長６．５ｍの道路のカウント結果は７列１３行のＣＳＶデータとして記憶される。
【００６５】
ひび割れ率１１２４は、算出されたひび割れ率を数値とグラフで表示する。ひび割れ率１１２４に表示するひび割れ率は、例えば、カウント中ひび割れ分布１１２３に表示されたマス目毎の値である。また、ひび割れ率１１２４に表示するひび割れ率は、所定の範囲のマス目の平均値であってもよい。所定の範囲とは、例えば、道路の幅方向のマス目の範囲（０．５ｍ×３．５ｍ）、または車両の進行方向１０ｍのマス目の範囲（１０ｍ×３．５ｍ）であってもよい。ひび割れ率１１２４を表示することにより、利用者は、ひび割れ率の時間的な変化を容易に視認することができる。なお、ひび割れ率１１２４で表示するひび割れ率の変化は、例えば、音程の高低としてスピーカー等を介して音で出力するようにしてもよい。
なお、図１０で説明したひび割れ分布及び表示部１１２の表示画面は、適宜、点検結果データ記憶部１０８に記憶される。
【００６６】
次に、ひび割れ重畳画像とひび割れ率の算出結果を説明する。
図１１は、第１の実施形態の、（Ａ）ひび割れ重畳画像と、（Ｂ）ひび割れ率の算出結果の一例を示す図である。
【００６７】
図１１（Ａ）は、図１０で説明したひび割れ重畳画像の一例である。図１１（Ａ）は、走行中の片側車線のひび割れを検出するための撮影画像であるが、反対車線のひび割れも同時に検出している。車載カメラ２１は、所定の俯角で路面を撮影するため、撮影画像には、検査対象の路面に加えて、撮影画像からの解析対象ではない車線や背景が写る場合がある。
したがって、撮影画像をそのまま正射影変換した場合、オルソ画像に余計な範囲の画像を含むことになる。そこで、舗装ひび割れ検出部１０６は、撮影画像に含まれる目標物の画像に基づきオルソ画像に変換する範囲を決定するようにしてもよい。図１１では、撮影画像に含まれる白線に基づき、オルソ画像に変換する範囲を決定する場合を例示している。
【００６８】
図１１（Ａ）に示す撮影画像には、中央線ａと車線外側線ｂが写っている。舗装ひび割れ検出部１０６は、中央線ａと車線外側線ｂを認識することにより、車線の幅を検出してひび割れ率を算出する路面の範囲を決定することができる。
【００６９】
なお、車線の幅の検出は、撮影画像を微分処理することにより、中央線ａ及び車線外側線ｂの白線を検出し、検出された白線とカメラの位置データから白線間の距離を算出することができる。また、舗装ひび割れ検出部１０６は、図４で示した路線の区間属性情報に基づき車線の幅を認識するようにしてもよい。検査対象の路線によっては中央線や車線外側線の白線が存在しない場合がある。路線の区間属性情報を用いることによって、車線の幅を検出するための情報が少ない場合であっても車線の幅を設定することが可能となる。
また、路線の一部で白線が不鮮明である区間、又は白線が存在しない区間であって車線の幅を検出できない場合において、区間属性情報で設定された車線の幅を用いるようにしてもよい。
【００７０】
図１１（Ｂ）は、車線の幅に基づき生成されたオルソ画像を示す。図１１（Ｂ）には、図１１（Ａ）と同じ中央線ａと車線外側線ｂが含まれている。図１１（Ｂ）は、車線の幅に応じたオルソ画像にひび割れ率を示すマス目が重畳されることを示している。なお、図１１（Ｂ）には、図１０のひび割れ分布で示したひび割れの画像が表示されていない。オルソ画像にひび割れの画像を重畳するか否かは、設定を変更できるようにしてもよい。
【００７１】
次に、舗装ひび割れ解析装置が作成する地理情報を用いた表示データを説明する。
図１２は、第１の実施形態の舗装ひび割れ解析装置が作成する地理情報を用いた表示データの一例を示す図である。
【００７２】
ひび割れ率算出部１０７は、位置データ取得部１０１３が取得した位置データに対応付けて図８又は図９等で説明した所定区間のひび割れ率を算出し、点検結果データ記憶部１０８に記憶する。表示制御部１１１は、点検結果データ記憶部１０８に記憶されたひび割れ率と位置データに基づき、ひび割れ率の測定位置を所定の形状（色を含む）の線分にして、地図情報に重畳して表示する。地図情報に重ね合された線分は、区間のひび割れ率に応じて色分け表示される。
【００７３】
例えば、図１２に示す始点Ａから終点Ｂまでの路線において、線分はひび割れ率に応じた４色で表示されているものとする。太線で表されるひび割れ率が５０％以上の線分は第１の色で表示されるものとする。破線で表されるひび割れ率が３０％〜４９％の線分は第２の色で表示されるものとする。点線で表されるひび割れ率が２９％以下の線分は第３の色で表示されるものとする。また、細線で表されるひび割れ率を算出しないその他の線分は第４の色で表示されるものとする。地図情報等の地図情報にひび割れ率を表す線分を重畳して表示することにより、路線全区間におけるひび割れ率の分布の把握が容易になる。
【００７４】
なお、地理情報には、例えば航空写真の情報等を用いてもよい。地理情報は、例えば点検結果データ記憶部１０８に予め記憶しておくこともできる。地理情報は利用者が選択して表示できるようにしてもよい。また、ひび割れ率を示す線分の色や太さは任意に設定できるようにしてもよい。
【００７５】
また、図１２は、路線の全区間が表示できる縮尺で地図を表示する場合を例示したが、地図は拡大又は縮小ができるものとする。ひび割れ率の表示は、表示する地図の縮尺に応じて表示範囲を変更するようにしてもよい。ひび割れ率を示す表示色の色分けは、区間の平均値であっても、所定距離数毎であってもよい。例えば、地図の縮尺が１／２５，０００の場合、１ｋｍ毎にひび割れ率に応じた色分けをしてもよい。また、地図の縮尺が１／６，２５０の場合、１００ｍ毎にひび割れ率に応じた色分けをしてもよい。また、地図の縮尺を１／２，５００にした場合、１３ｍ毎にひび割れ率に応じた色分けをしてもよい。
また、地図の縮尺を切り替えたときに、表示された区間の中でひび割れ率が大きい部分（部分には、「区間」又は「連続した数区間」を含む）の表示色を切り替えるようにしてもよい。
【００７６】
また、図１２に表示されたひび割れ率を表す線分の１点を指定すると、その地点における詳細な情報が表示されるようにしてもよい。例えば、地図上で１点を指定したときに指定した地点におけるひび割れ重畳画像を表示するようにしてもよい。舗装ひび割れ解析装置は、縮尺を変更したときに、小縮尺の地図においては路線全体を俯瞰することができる。また、舗装ひび割れ解析装置は、０．５ｍのマス目毎にひび割れ率を測定して位置データとともに記憶するので、大縮尺の地図においてはマス目単位までの詳細な情報を表示することができる。
【００７７】
次に、舗装ひび割れ解析装置が生成する複数のひび割れ重畳画像を含む画面データの表示を説明する。図１３は、第１の実施形態の舗装ひび割れ解析装置が生成する複数のひび割れ重畳画像を含む画面データの一例を示す図である。図１３に示す画面データは、表示制御部１１１が作成し、表示部１１２が表示することができる。
【００７８】
図１３において、図示左側の図は、前回の点検を実施した２０１２年のひび割れ重畳画像である。一方、図１３図示右側の図は、今回の点検を実施した２０１５年のひび割れ重畳画像である。点検日時の異なる複数のひび割れ重畳画像を比較する画像を生成して表示することにより、利用者は路面の経時的な劣化状況を容易に把握することができる。
【００７９】
なお、図１３は、２つのひび割れ重畳画像を比較する場合を例示したが、比較するひび割れ重畳画像の数は２つに限定されるものではない。例えば、５年分の５つのひび割れ重畳画像を比較可能に表示するようにしてもよい。
【００８０】
また、比較する複数のひび割れ重畳画像は、並べて表示する以外に、表示部１１２の画面の同じ表示位置に順番に表示するようにしてもよい。表示部１１２の画面の同じ表示位置に順番に表示することにより、利用者は変化のあった部分を動画のように視認することができる。また、比較する複数のひび割れ重畳画像の差分を表示するようにしてもよい。例えば、基準となるひび割れ重畳画像に対する年度毎のひび割れの差分を順次表示することにより、利用者は、ひび割れの成長過程を視認することができる。
【００８１】
なお、複数のひび割れ重畳画像を比較するためには、図１３に示す様な背景も同時に表示されることが望ましい。背景が一致した画像を表示することにより、利用者は、同じ測定点におけるひび割れ重畳画像であることを確認することができる。
【００８２】
次に、舗装ひび割れ解析装置が算出するひび割れ率の変化の表示を説明する。
図１４は、第１の実施形態の舗装ひび割れ解析装置が算出するひび割れ率の変化の一例を示す図である。
図１４において、表示部１１２の表示画面には、区間番号１の区間を８つの範囲に区切った１００ｍ毎のひび割れ率が表示される。例えば、図１４に図示する「０」の範囲は、起点である０ｍ〜１００ｍの範囲を示す。
図１４図示上段は、前回の点検結果における区間毎のひび割れ率を示し、下段は今回の点検結果における区間毎のひび割れ率を示す。例えば、「０」と「１００」の範囲においては、前回の点検結果に比べて今回の点検結果のひび割れ率が改善している。ひび割れ率の改善は、上記範囲において路面の補修が行われたことを示している。一方、「０」、「１００」、「６００」、及び「７００」の範囲においては、前回の点検結果に比べて今回の点検結果のひび割れ率が悪化している。すなわち、図１４に示すひび割れ率の変化の表示においては、路面の性状の劣化を経時的に把握できるとともに、路面の補修状況も把握することが可能となる。図１４は、前回の点検結果と今回の点検結果を表示する場合を示したが、例えば、複数の年度における点検結果を同時に表示するようにしてもよい。年度毎のひび割れ率の変化を同時に表示した場合、利用者は年度毎の路面の劣化と補修の進行状況を把握することが可能となる。なお、ひび割れ率の表示の範囲は、設定によって変えるようにしてもよい。例えば、複数の区間におけるひび割れ率を表示するようにしてもよい。
【００８３】
以上のように構成された第１の実施形態における舗装ひび割れ解析システムによれば、ユーザがオルソ画像を見ながらひび割れ率を算出する判定枠を自由に設定することができる。そして、舗装ひび割れ解析装置１は、設定された判定枠内のひび割れ率を自動で算出する。これにより、舗装のひび割れを判断できる技術者が撮影画像から目視でひび割れ本数を確認してひび割れ率を算出するという人的作業を行う必要がない。そのため、ひび割れ率の算出に要する手間を軽減することができる。
また、ユーザがオルソ画像を見ながらひび割れ率を算出する判定枠を自由に設定することができるため、路線の開始位置が画像の途中であっても、幅員が路線の途中で変わっている場合であっても対応することができる。したがって、ひび割れ率に含まれる誤差を低減することができる。そのため、ひび割れ率の算出精度の低下を軽減することが可能になる。
【００８４】
第１の実施形態における舗装ひび割れ解析装置１の変形例について説明する。
本実施形態では、道路を１００ｍ毎に区切って、橋梁やトンネルに隣接する区間が１００ｍに満たない区間が生じる場合を説明した。しかし、区間の設定方法は任意であり、例えば、図４における区間属性情報において区間番号３の区間の距離（起点〜終点までの距離）２０ｍを区間番号２に区間に組み入れて、区間番号２の距離を１２０ｍとするように設定してもよい。また、道路の区切りを１００ｍとする代わりに５０ｍ毎として設定してもよい。また、橋梁やトンネルをひび割れの解析処理の対象として設定してもよい。
【００８５】
また、撮影画像には、撮影画像が撮影された撮影日時を対応させて記憶させてもよい。
上述のとおり、撮影日時は位置データの一部として記憶することができる。撮影画像に撮影された撮影日時を対応させて記憶することにより、同じ撮影位置において異なる日時で撮影された複数の撮影画像を、撮影日時を指定して比較することが容易になる。
本実施形態では、解析情報入力部１０１と設定情報登録部１０２−１と領域情報登録部１０２−２とを分けて、それぞれの情報を取得する場合を説明したが、解析情報入力部１０１と設定情報登録部１０２−１と領域情報登録部１０２−２との一部又は全てを一つの機能として実装するようにしてもよい。
【００８６】
本実施形態では、舗装ひび割れ検出部１０６が画像生成部を持つ場合を説明したが、画像生成部は舗装ひび割れ検出部１０６以外の機能部で実現してもよい。また、本実施形態では、画像生成部がひび割れ重畳画像を生成する場合を説明したが、例えば、画像生成部はコンクリート等、他の材料のひび割れ重畳画像を生成するものであってもよい。
点検結果出力部１０９は、ひび割れ形状データとひび割れ重畳画像に対応付けて出力する。ひび割れ重畳画像とひび割れデータとを対応させて出力することにより、例えば他のコンピュータにステムにおいて、ひび割れデータとひび割れ重畳画像とを対応付けて表示することが可能となる。なお、ひび割れ重畳画像とひび割れデータとを対応させる表示とは、例えば、ひび割れ重畳画像にひび割れデータを重畳した表示、ひび割れ重畳画像とひび割れデータを並列させた表示である。
【００８７】
図６では、マス目の左端と右端の位置が指定されると、オルソ画像３３に対する判定枠が全て同じマス目の幅となる構成を示しているが、路線（路面）の途中でマス目の幅を変更可能に構成されてもよい。この場合には、ユーザが、マス目の幅を変更したい箇所を指定し、判定枠を変更することによって実現される。また、路線の途中でマス目の大きさを変更可能に構成されてもよい。この場合、領域情報登録部１０２−２は、ユーザの指示に応じて路線（路面）の途中でマス目の幅及び大きさの少なくとも１つを変更する。
帳票作成・出力部１１０は、ひび割れデータとともにひび割れ重畳画像を含めて所定の帳票を作成するようにしてもよい。帳票にひび割れ重畳画像を含めることにより、路面の性状をより詳細に表現することが可能となる。帳票作成・出力部１１０は、作成した帳票を、画像データとして出力するが、所定のファイル形式の文章ファイルとして出力してもよい。
【００８８】
本実施形態では、表示制御部１１１が複数のひび割れ重畳画像を比較可能に並べて表示する画面データを生成する場合を例示したが、複数のひび割れ重畳画像の比較可能な表示方法はこれに限定されない。例えば、表示制御部１１１は、撮影日時の異なる複数のひび割れ重畳画像を同じ表示位置に切り替えて表示するようにしてもよい。表示の切換えは利用者が所定の操作によって行なうようにしてもよい。表示制御部１１１は、ひび割れ重畳画像を切り替えることにより、表示部１１２の同じ画面位置におけるひび割れ形状データの比較を容易にすることができる。また、表示制御部１１１は、複数のひび割れ重畳画像のひび割れ形状データの差分を表示するようにしてもよい。表示制御部１１１は、差分を表示することにより、ひび割れ形状データの変化の視認を容易にすることができる。
【００８９】
表示制御部１１１が表示するひび割れ重畳画像の撮影日時は、舗装ひび割れ解析装置１の利用者（以下、「利用者」という。）が指定できるようにしてもよい。例えば、利用者は、５年前、３年前、最近の撮影日時のひび割れ重畳画像を指定して表示させることができる。過去の画像と最近の画像を比較して表示することにより、利用者は路面性状の経時的な変化（例えば、経年変化）を視認することが可能となる。また、表示制御部１１１は、過去の画像と最近の画像から過去の画像と最近の画像を比較可能な画像を生成し、生成した画像を表示する画面データを生成してもよい。さらに、画面データは、ＧＩＳ（Geographic Information System：地理情報システム）を利用したデータ（ＧＩＳ画面データ）を含むものであってもよい。
【００９０】
本実施形態では、領域情報登録部１０２−２が、オルソ画像を読みだし、読み出したオルソ画像に基づいてマス目設定情報を登録する構成を示したが、領域情報登録部１０２−２は撮影画像（フレーム画像）を読み出し、読み出した撮影画像で設定されたマス目設定情報を登録するように構成されてもよい。
【００９１】
＜第２の実施形態＞
次に、第２の実施形態として、舗装ひび割れ解析装置１が、マス目を自動で設定する機能を有する実施形態を説明する。
図１５は、第２の実施形態のひび割れ解析システムの機能構成の一例を例示するブロック図である。
図１５において、舗装ひび割れ解析装置１ａは、ひび割れ率算出部１０７に代えてひび割れ率算出部１０７ａを持つ点、領域情報登録部１０２−２を持たない点で、図３で説明した舗装ひび割れ解析装置１と構成が異なる。舗装ひび割れ解析装置１ａは、その他の構成については、舗装ひび割れ解析装置１と同様の構成を持つ。そのため、舗装ひび割れ解析装置１ａ全体の説明は省略し、ひび割れ率算出部１０７ａについて説明する。
【００９２】
ひび割れ率算出部１０７ａは、舗装ひび割れ検出部１０６から出力されたひび割れ形状データと、オルソ画像と、位置データとに基づいてひび割れ率を算出する。ひび割れ率算出部１０７ａは、ひび割れ率を算出する際に、所定の方法に基づいて、ひび割れ形状データ上にひび割れ率を算出するためのマス目を設定する。
【００９３】
図１６は、第２の実施形態の舗装ひび割れ解析装置１ａの動作の一例を示すフローチャートである。図５と同様の処理については、図１６において図５と同様の符号を付して説明を省略する。
Ｓ１６の処理が実行された後、ひび割れ率算出部１０７ａは舗装ひび割れ検出部１０６から出力されたオルソ画像と、所定の方法とに基づいて、オルソ画像上にマス目を自動で設定する（Ｓ３０）。ここで、ひび割れ率算出部１０７ａが自動的にマス目を設定する方法について説明する。ひび割れ率算出部１０７ａが自動的にマス目を設定する方法として、以下の３つの方法がある。
【００９４】
（第１の方法）
オルソ画像上の道路両端の白線（中心線、車線外側線）に基づき、中心線を起点に車線外側線までのマス目を設定する方法。
（第２の方法）
オルソ画像上の道路両端の白線（中心線、車線外側線）に基づき、車線外側線を起点に中心線までのマス目を設定する方法。
（第３の方法）
オルソ画像の中心を基準点とし、予め設定された道路幅分のマス目を設定する方法。
以下、各方法について説明する。
【００９５】
第１の方法では、まず、ひび割れ率算出部１０７ａは、オルソ画像を微分処理することにより、中央線及び車線外側線の白線を検出する。そして、ひび割れ率算出部１０７ａは、検出した中央線を、マス目を設定する起点として、中央線から車線外側線までの間でマス目を設定する。なお、検出した白線のうち、どちらの白線が中央線であるのかについては、予め入力される。例えば、日本において車両が左車線を走行している場合、車両の走行方向と反対方向を向いているカメラから見た中央線の位置は左側になる。このような情報を予めひび割れ率算出部１０７ａに入力しておくことで、ひび割れ率算出部１０７ａは検出した白線のうち、左側の白線を中央線として検出することができる。この場合、ひび割れ率算出部１０７ａは、１辺が所定の幅（例えば、０．５ｍ）のマス目（メッシュ）となるように、オルソ画像上の中央線から車線外側線までの間でマス目を設定する。
【００９６】
第２の方法では、まず、ひび割れ率算出部１０７ａは、オルソ画像を微分処理することにより、中央線及び車線外側線の白線を検出する。そして、ひび割れ率算出部１０７ａは、検出した車線外側線を、マス目を設定する起点として、車線外側線から中央線までの間でマス目を設定する。なお、検出した白線のうち、どちらの白線が車線外側線であるのかについては、予め入力される。例えば、日本において車両が左車線を走行している場合、車両の走行方向と反対方向を向いているカメラから見た車線外側線の位置は右側になる。このような情報を予めひび割れ率算出部１０７ａに入力しておくことで、ひび割れ率算出部１０７ａは検出した白線のうち、左側の白線を車線外側線として検出することができる。この場合、ひび割れ率算出部１０７ａは、１辺が所定の幅（例えば、０．５ｍ）のマス目（メッシュ）となるように、オルソ画像上の車線外側線から中央線までの間でマス目を設定する。
【００９７】
第３の方法では、まず、ひび割れ率算出部１０７ａは、オルソ画像を微分処理することにより、中央線及び車線外側線の白線を検出する。次に、ひび割れ率算出部１０７ａは、検出した白線とカメラの位置データから白線間の距離を算出する。そして、ひび割れ率算出部１０７ａは、算出した白線間の距離に基づいて、予め設定された道路幅分のマス目を設定する。この場合、ひび割れ率算出部１０７ａは、１辺が所定の幅（例えば、０．５ｍ）のマス目（メッシュ）となるように、オルソ画像上にマス目を設定する。
【００９８】
ひび割れ率算出部１０７ａは、上記に示したマス目を設定する方法としていずれの方法を用いても構わない。ひび割れ率算出部１０７ａが、いずれの方法を用いるのかは予め設定されていてもよい。その後、Ｓ１８以降の処理が実行される。
【００９９】
以上のように構成された第２の実施形態における舗装ひび割れ解析システムによれば、オルソ画像に基づいて自動で、ひび割れ率を算出する判定枠を設定することができる。そして、舗装ひび割れ解析装置１は、設定された判定枠内のひび割れ率を自動で算出する。これにより、舗装のひび割れを判断できる技術者が撮影画像から目視でひび割れ本数を確認してひび割れ率を算出するという人的作業を行う必要がない。そのため、ひび割れ率の算出に要する手間を軽減することができる。
また、オルソ画像に基づいて自動で、ひび割れ率を算出する判定枠を設定することができるため、路線の開始位置が画像の途中であっても、幅員が路線の途中で変わっている場合であっても対応することができる。したがって、ひび割れ率に含まれる誤差を低減することができる。そのため、ひび割れ率の算出精度の低下を軽減することが可能になる。
【０１００】
次に、第２の実施形態における舗装ひび割れ解析装置１ａの変形例について説明する。
舗装ひび割れ解析装置１ａは、舗装ひび割れ解析装置１と同様に変形されてもよい。
【０１０１】
＜第３の実施形態＞
次に、第３の実施形態として、修正機能を有する実施形態を説明する。
図１７は、第３の実施形態のひび割れ解析システムの機能構成の一例を例示するブロック図である。
図１７において、ひび割れ解析システム（ひび割れ解析装置）は、舗装ひび割れ解析装置を２つに分け、ネットワーク３を介して配置した構成で、舗装ひび割れ解析装置１ｂ及び舗装ひび割れ解析装置２を持つ。このように、舗装ひび割れ解析装置を２つに分けたことで、解析を行う場所と地理的に分かれた場所で編集を行うことができる。舗装ひび割れ解析装置１ｂは、図１で説明した舗装ひび割れ解析装置１における点検結果データ記憶部１０８及び帳票作成・出力部１１０に代えて点検結果データ記憶部１０８ａ及び帳票作成・出力部１１０ａを備え、さらに出力部１１３を持つ。なお、舗装ひび割れ解析装置１ｂの機能の中で舗装ひび割れ解析装置１と同一の機能については同一の符号を付している。
【０１０２】
帳票作成・出力部１１０ａは、帳票作成・出力部１１０と同様の処理を行う。また、帳票作成・出力部１１０ａは、作成した帳票を点検結果データ記憶部１０８ａに記憶する。
点検結果データ記憶部１０８ａは、ひび割れ形状データと、ひび割れ重畳画像と、オルソ画像と、マス目毎の舗装ひび割れの本数と、ひび割れ率と、帳票とを記憶する。
【０１０３】
出力部１１３は、点検結果データ記憶部１０８ａに記憶されたデータを、ネットワーク３を介して舗装ひび割れ解析装置２に出力する。出力部１１３は、例えば舗装ひび割れ解析装置２からのデータ取得要求に対して要求されたデータを出力するＷｅｂサーバであってもよい。出力部１１３から出力されるデータの種類は、舗装ひび割れ解析装置２からの要求に応じて決定されるようにしてもよい。出力部１１３は、ネットワーク３と有線で接続されるものであっても無線で接続されるものであってもよい。また、出力部１１３は、舗装ひび割れ解析装置２からデータを受信する機能を持っていてもよい。
【０１０４】
なお、出力部１１３から出力されるデータは、点検結果出力部１０９から記録メディアに出力するようにしてもよい。例えば、ネットワーク３を介して出力部１１３からデータを取得出来ない舗装ひび割れ解析装置２に対しては、出力部１１３からデータを取得する代わりに記録メディアによって点検結果データ記憶部１０８ａに記憶されたデータを提供するようにすることができる。記録メディアとは、例えば、ハードディスクドライブ、メモリーカード、光ディスク等である。出力部１１３は、図示しない記録メディアの記録部を持つ。
【０１０５】
舗装ひび割れ解析装置２は、解析情報入力部２０１、入力情報取得部２０２、編集部２０３、舗装ひび割れ情報反映部２０４、編集結果データ記憶部２０５、表示制御部２０６、及び表示部２０７を持つ。
解析情報入力部２０１は、ネットワークデータ入力部２０１１及びメディアデータ入力部２０１２を持つ。
ネットワークデータ入力部２０１１は、ネットワーク３を介して舗装ひび割れ解析装置１の出力部１１３から出力されたデータを取得する。例えば、ネットワークデータ入力部２０１１は、オルソ画像に変換された撮影画像の画像、ひび割れ重畳画像、ひび割れ形状データ（ラスタデータ、ベクタデータ等）、ひび割れデータ（ひび割れ率、ひび割れ本数等）及び帳票等の入力情報を取得する。ネットワークデータ入力部２０１１は、ネットワーク３と有線で接続されるものであっても無線で接続されるものであってもよい。
【０１０６】
メディアデータ入力部２０１２は、記録メディアから舗装ひび割れ解析装置１のオルソ画像に変換された撮影画像、ひび割れ重畳画像の画像データ、ひび割れ形状データ、ひび割れデータ及び帳票等の入力情報を取得する。メディアデータ入力部２０１２は、図示しない記録メディアの読取部を持つ。
【０１０７】
入力情報記憶部２０２は、入力部２０１が取得した入力情報を記憶する。入力情報記憶部２０２には、例えば、ハードディスクドライブ等の記憶装置を用いることができる。
編集部２０３は、入力情報記憶部２０２に記憶された入力情報を読み出して、図示しない表示装置の表示部に編集画面を表示する。編集画面とは、ひび割れデータの編集を行うための画面である。なお、本実施形態においてひび割れデータの編集とは、ひび割れデータを変更する場合に加えて、ひび割れデータを変更しないで確認だけする場合を含む。
【０１０８】
舗装ひび割れ情報反映部２０４は、入力情報記憶部２０２に記憶された編集情報を、元の入力情報に反映させてデータを更新する。
編集結果データ記憶部２０５は、舗装ひび割れ情報反映部２０４によって更新されたデータを記憶する。
表示制御部２０６は、入力情報記憶部２０２に記憶されているデータ及び編集結果データ記憶部２０５に記憶されているデータに基づき表示用の画面データを生成して表示部２０７に出力する。
表示部２０７は、表示制御部２０６から入力された画面データを画面表示する。表示部２０７は、例えば、液晶表示装置である。
【０１０９】
次に、図１７で説明した舗装ひび割れ解析装置２の動作を説明する。図１８は、第３の実施形態の舗装ひび割れ解析装置の動作の一例を示すフローチャートである。
編集部２０３は、編集を実行するか否かを判断する（Ｓ３１）。編集を実行するか否かの判断は、編集部２０３が表示部２０７等に表示する画面表示から利用者の操作が行われたか否かによってすることができる。利用者から編集する旨の操作が行われた場合、編集部２０３は編集を実行すると判断する。一方、利用者から編集する旨の操作が行われていない場合、編集部２０３は編集を実行しないと判断する。以下の説明では、編集部２０３は編集画面等の表示を表示部２０７にするものとする。
【０１１０】
編集部２０３は、編集を実行すると判断したときには（Ｓ３１；ＹＥＳ）、編集画面を表示部２０７に表示する（Ｓ３２）。編集部２０３は、編集画面に、少なくとも撮影画像の画像とひび割れデータを表示して、利用者に対してひび割れデータを編集可能にする。編集部２０３は、例えばマス目毎にひび割れ本数を表現した色分けを表示して、利用者がマス目毎に色分けを変更することによりひび割れデータを編集できるようにする。ここで、舗装ひび割れ解析装置２における編集処理について図１９及び２０を用いて説明する。図１９及び図２０は、第３の実施形態の舗装ひび割れ解析装置の編集処理の一例を示す図である。
【０１１１】
図１９において、表示部２０７は、編集処理において表示されるひび割れ編集ＴＯＰ画面を表示している。ひび割れ編集ＴＯＰ画面は、例えば図示しない表示画面から利用者が編集開始の指示を入力したときに表示される。ひび割れ編集ＴＯＰ画面において、表示部２０７は、路線の区間属性情報２１２１、及び区間編集情報２１２２を表示する。
【０１１２】
区間属性情報２１２１は、「路線名」、「測定日」及び「天候」の情報を持っている。
区間編集情報２１２２は、「区間番号」、「区間」、「編集ステータス」、「編集日時」及び「編集者」の情報を持っている。「路線名」、「測定日」、「天候」及び「区間番号」は、図４と同様であるので説明を省略する。
【０１１３】
「区間」は、路線を１００ｍ毎に区切った道路の区間である、なお、図１９は、図示する全て区間の属性が「道路」である場合を示し、属性が「橋梁」及び「トンネル」である区間を含まないものとする。
「区間」で表示される下線が引かれた文字列は、文字列がハイパーリンクであることを示している。「区間」毎の文字列を利用者がマウス等で選択した場合、選択した区間に対応したリンク先の編集画面が表示される。例えば、「０ｍ〜１００ｍ」の文字列を選択した場合、「０ｍ〜１００ｍ」の区間に対応した編集画面が表示される。なお、ハイパーリンクの文字列は、例えば「区間番号」等の文字列であってもよい。
【０１１４】
「編集ステータス」は、編集作業者によってその区間のひび割れデータが編集（更新）されたか否かの編集状況を示す情報である。「編集ステータス」の「済」の表示は、その区間のひび割れデータが編集済みであることを示している。また、「未」の表示は、その区間のひび割れデータが未編集であることを示している。
なお、編集状況の表示は、その区間に「済」及び「未」のような文字による表示をする以外に、例えば、編集済みの区間の表示色を変更したり、編集済みの区間に所定のマークを付与したりするものであってもよい。
【０１１５】
「編集日時」は、その区間の編集処理が完了した日時である。「編集者」は、編集処理を行なった編集作業者名である。「編集日時」及び「編集者」の情報は、編集ステータスが済である場合に表示される付帯情報である。なお、本実施形態では、その区間において最後に編集処理を行なった編集日時及編集作業者を表示する場合を示したが、例えば編集処理を複数回数実施した場合、編集処理毎の編集日時及編集作業者を記録して表示するようにしてもよい。
【０１１６】
図２０は、図１９の区間のハイパーリンクを選択したときに表示部２０７に表示される編集処理の表示画面を示している。編集画面２０００は、初期状態２００１、編集中２００２、及び選択箇所２００３の編集表示部を持つ。初期状態２００１は、図９と同様に、撮影画像のオルソ画像にひび割れ率を示す色分けされたマス目を重畳した表示である。編集作業者は、図示しないマウスやキーボードを用いて、初期状態２００１の画像を図示上下方向にスクロールさせることができる。初期状態２００１の図示上端の（０．０）の表示は、区間の始点を表している。編集作業者は、初期状態２００１の画像をスクロールすることにより、区間の始点から終点の１００ｍの中の任意の範囲の撮影画像を表示することができる。
【０１１７】
初期状態２００１の図示左上には道路の中央線（白線）が写っている。また、初期状態２００１の図示右下には、道路に設置された点検口と点検口の周囲を補修した補修材による施工跡が写っている。補修材の図示左上のマス目に示された枠は、このマス目が編集済であることを示している。
【０１１８】
初期状態２００１の表示画面上部には、枠非表示ａ、ひび非表示ｂ、編集済非表示ｃ、及び信頼度非表示ｄの選択ボタンを持つ。それぞれの選択ボタンは、例えばマウスのクリックで選択状態を変更することができる。枠非表示ａは、初期状態２００１の撮影画像にマス目を重畳して表示するか否かを選択するための選択ボタンである。図２０は、マス目が重畳表示されている場合を示す。マス目は、ひび割れ率を示す色の表示を含んでいる。
【０１１９】
図２０において、マス目にハッチングがない部分は、その範囲にひび割れがカウントされなかったひび割れ率０％の部分であり、表示画面には緑色が表示する。マス目に薄いハッチングがされた部分は、ひび割れが１本カントされたひび割れ率６０％の部分であり、マス目には黄色が表示される。また、マス目に濃いハッチングがされた部分は、ひび割れが２本以上カントされたひび割れ率１００％の部分であり、マス目には赤色が示される。編集作業者は、枠非表示ａを選択する毎に、マス目の色の表示と非表示を切換えることができる。
【０１２０】
ひび非表示ｂは、初期状態２００１の撮影画像にひび割れ形状データを重畳して表示するか否かを選択するための選択ボタンである。ひび割れ形状データは、表示画面上で編集作業者が視認しやすい様に所定の色で色付けされて所定の太さの線分で表現される。図２０は、ひび割れ形状データが表示されていない場合を示している。編集作業者は、ひび非表示ｂを選択する毎に、ひび割れ形状データの表示と非表示を切換えることができる。
【０１２１】
編集済非表示ｃは、初期状態２００１の撮影画像に編集済であることを示す枠線を重畳して表示するか否かを選択するための選択ボタンである。編集済であることを示す枠線は、表示画面上で編集作業者が視認しやすい様に所定の色で色付けされてマス目を囲む所定の太さの枠線で表現される。図２０は、編集済であることを示す枠線が表示されている場合を示している。編集作業者は編集済非表示ｃを選択する毎に、編集済であることを示す枠線の表示と非表示を切換えることができる。
【０１２２】
信頼度非表示ｄは、初期状態２００１の撮影画像に信頼度の表示を重畳して表示するか否かを選択するための選択ボタンである。信頼度の表示とは、図１において説明した舗装ひび割れ検出部で検出されたひび割れの検出に対する信頼度を表示したものである。信頼度の判定方法は任意である。例えば、本実施形態では、マス目毎に検出したひび割れの本数を、０本、１本又は２本以上の３段階で分類分けしているが、ひび割れと認識するか否かは検出されたひび割れの長さ、太さ、コントラスト等の所定のパラメータが予め定められた閾値の範囲内であるか否かで決定することができる。ひび割れ本数の検出結果が同じ本数であった場合であっても、所定のパラメータが閾値近傍であるときはそのマス目の検出の信頼度は低くなると判断することができる。一方、所定のパラメータが閾値から離れているときにはそのマス目の検出の信頼度は高くなると判断することができる。
【０１２３】
また、撮影画像に樹木の影等が写りこみ樹木の影を除去する画像処理をした場合、撮影画像に含まれるひび割れの画像もその画像処理により影響を受けて検出の精度が低下する。影を除去する画像処理等をしたマス目については信頼度が低くなると判断することができる。
信頼度は、例えばマス目の色を緑、黄色及び赤以外の色で表示したり、マス目に所定のマークを付けたりすることで初期状態２００１に表示することができる。編集者業者は信頼度が低いと表示されたマス目について編集作業を実施することにより作業の効率化を図ることができる。図２０は、信頼度を示す表示がされていない場合を示している。編集作業者は信頼度非表示ｄを選択する毎に、信頼度の表示の表示と非表示を切換えることができる。
【０１２４】
編集中２００２は、初期状態２００１と同様に、撮影画像のオルソ画像にひび割れ率を示す色分けされたマス目を重畳した重畳画像の表示である。編集中２００２は、初期状態２００１に対応して図示上下方向にスクロールさせることができる。例えば、初期状態２００１をスクロールしたときには、編集中２００２が自動的にスクロールされて、初期状態２００１における撮影画像の表示範囲と編集中２００２における撮影画像の表示範囲とが同じになるように表示される。編集中２００２をクロールしたときにも、初期状態２００１が自動的にスクロールされて、撮影画像の表示範囲が同じになる。初期状態２００１と編集中２００２の撮影画像の表示範囲を同じにすることにより、初期状態と編集中のマス目毎のひび割れデータの比較が容易になる。
【０１２５】
編集作業者は、編集中２００２の表示に中から変更したいマス目をマウス又はキーボードの矢印キーで選択する。選択されたマス目には枠線が表示される。編集作業者は、枠線が表示されたマス目をマウスでクリックする毎に、表示画面に表示されるマス目の色を緑→黄色→赤→緑と変化させることができる。図２０は、枠線で示されたマス目が初期状態の黄色から赤色に変更されたことを示している。マス目毎にひび割れ率を変更できるようにすることにより、ひび割れ率の編集を容易にすることが可能となる。
【０１２６】
編集中２００２の表示画面下部には、保存ｈ、初期状態に戻すｉ、及びキャンセルｊの選択ボタンを持つ。それぞれの選択ボタンは、例えばマウスのクリックで選択することができる。保存ｈは、編集中２００２で編集したひび割れ率の編集結果を保存するための選択ボタンである。保存ｈを選択すると編集中２００２で変更したマス目毎のひび割れ率が確定し、編集結果が入力情報記憶部２０２に保存される。保存ｈを選択すると図２０の編集処理の表示画面の表示が図１９のひび割れ編集ＴＯＰ画面に切換わり、区間編集情報２１２２において編集作業をした区間の編集ステータスが「済」となり、編集日時と編集者が表示される。
なお、編集中２００２でマス目のひび割れ率を変更しないで保存ｈを選択したときにおいても、区間編集情報２１２２の編集ステータスは「済」となり、その区間のひび割れ率を編集作業者が確認済みであることを示すことができる。
【０１２７】
初期状態に戻すｉは、編集中２００２で編集したひび割れ率の編集結果を初期状態に戻す選択ボタンである。ひび割れ率はマス目毎に編集していくため、編集中２００２においては、複数のマス目の編集結果が表示されている。初期状態に戻すｉを選択することにより、複数のマス目の編集結果を一度に初期状態に戻すことができる。但し、初期状態に戻すｉは、所定のマス目のみを初期状態に戻すものであってもよい。所定のマス目とは、例えば複数のマス目を編集した場合の初期状態に戻されていない最新のマス目である。初期状態に戻すｉを複数回選択することにより、複数回の編集結果を１マス目毎に初期状態に戻すことができる。また、所定のマス目は、選択された範囲に含まれる複数のマス目であってもよい。所定の範囲のマス目を小機状態に戻すことにより、編集作業のやり直しを容易にすることができる。
【０１２８】
キャンセルｊは、編集作業を終了して図１９に示すひび割れ編集ＴＯＰ画面に戻す選択ボタンである。キャンセルｊを選択したときには、編集中２００２における編集結果は保存されず破棄される。なお、保存ｈ、初期状態に戻すｉ又はキャンセルｊの選択ボタンを選択したときには、操作を確認するためのダイアログを表示して誤操作を防止するようにしてもよい。
【０１２９】
選択箇所２００３は、編集中２００２で選択したマス目の撮影画像を拡大した表示である。撮影画像を拡大表示することにより、編集作業者は初期状態２００１で表示されたひび割れ率の検出結果の妥当性を判断することができる。選択箇所２００３には、撮影画像にひび割れ形状データを表示してもよい。ひび割れ形状データを表示することにより、編集作業者は舗装ひび割れ検出部１０６がどの画像をひび割れと判断したかを確認することができる。
選択箇所２００３は、編集中２００２で選択したマス目を中心とした９マス分の撮影画像を表示する。選択箇所２００３に表示される枠線Ｚは編集中２００２で選択したマス目を示している。
【０１３０】
選択箇所２００３の表示画面下部には、倍率ｅ、明暗ｆ、及び濃淡ｇのスライドバーを持つ。それぞれのスライドバーは、例えばマウスでドラッグすることにより設定を変更することができる。倍率ｅは、選択箇所２００３に表示する撮影画像の倍率を変更するスライドバーである。倍率ｅのスライドバーを、右に移動させると選択箇所に表示される撮影画像が拡大され、左に移動させると選択箇所に表示される撮影画像が縮小される。撮影画像が拡大又は縮小されると、選択箇所２００３に表示された枠線Ｚの大きさも拡大又は縮小される。枠線Ｚを表示することにより、編集作業者は、撮影画像を拡大又は縮小した場合であっても編集中２００２で選択したマス目の範囲を確認することができる。
【０１３１】
明暗ｆは、選択箇所２００３に表示する撮影画像の明度（明るさ）を調整するスライドバーである。濃淡ｇは、選択箇所２００３に表示する撮影画像の濃度（コントラスト）を調整するスライドバーである。撮影画像の表示の明度と濃度を調整することにより、編集作業者は、撮影画像に含まれるひび割れを見やすくすることができる。なお、本実施形態では撮影画像の表示の明度と濃度を調整可能な場合を示したが、撮影画像の表示の調整はこれらに限定されない。例えば、撮影画像のネガ・ポジを反転させる表示の調整ができるようにしてもよい。また、撮影画像に対してエッジを強調する微分処理を施した画像を表示するようにしてもよい。
【０１３２】
なお、図２０においては、初期状態２００１と編集中２００２と選択箇所２００３の画像を表示した編集画面２０００を説明したが、編集画面２０００の表示は図２０に限定されるものではない。例えば、同じ区間において過去に撮影された撮影画像とそれに基づくひび割れデータを編集画面２０００に併せて表示するようにしてもよい。
【０１３３】
舗装ひび割れは経年変化によって徐々に大きくなり、マス目毎のひび割れ本数が増加する。過去の撮影画像と今回（初期状態）の撮影画像を比較した場合、補修がされていない場合には過去のひび割れ率に対して今回のひび割れ率は低くなることは殆どない。
編集画面２０００に過去のひび割れデータを今回のひび割れデータに対応させて表示することにより、今回のひび割れ検出において誤検出された箇所を発見しやすくなる。編集作業者は過去のひび割れデータより今回のひび割れデータが好転している箇所を集中的に確認することにより編集作業の効率を向上させることができる。
【０１３４】
また、編集画面２０００に、過去に編集したマス目を識別可能に表示するようにしてもよい。ひび割れの検出は、路面の凹凸、路面に写った樹木等の影により検出精度に影響を受ける。過去にひび割れの誤検出を修正した路面上の所定の位置においては、次の測定において再度ひび割れを誤検出する可能性が高い。編集画面２０００に、過去に編集したマス目を識別可能に表示することにより、誤検出されやすい箇所を集中的に確認することができるので編集作業の効率を向上させることができる。過去に編集したマス目には、例えば過去の編集後のひび割れ率を平均したひび割れデータを表示してもよい。
【０１３５】
Ｓ３３の処理が実行された後、編集部２０３は、編集結果（編集情報）を入力情報記憶部２０２に記憶（登録）する（Ｓ３３）。編集部２０３は、入力情報記憶部２０２に記憶した編集結果を編集画面に表示することにより、利用者に対してひび割れデータが変更されたことを報知することができる。編集部２０３は、編集結果と併せて、編集作業者の情報と編集結果を記憶した日時の情報を入力情報記憶部２０２に記憶する。
【０１３６】
Ｓ３３の処理が実行された後、舗装ひび割れ情報反映部２０４は、編集結果を反映する（Ｓ３４）。例えば、舗装ひび割れ情報反映部２０４は、編集結果に基づきひび割れデータを変更して編集結果データ記憶部２０５に記憶する。また、舗装ひび割れ情報反映部２０４は、編集部２０３の編集結果を反映した帳票を作成する。作成される帳票は、複数の種類の中から利用者が選択するようにしてもよい。また、帳票に入力される情報を利用者が選択又は修正できるようにしてもよい。
【０１３７】
図２１は、第３の実施形態の舗装ひび割れ解析装置が出力する帳票の一例を示す図である。図２１に示す帳票は、図８を用いて説明した帳票作成・出力部１１０が作成する帳票とほぼ同じ記載項目を持つ。舗装ひび割れ情報反映部２０４が作成する帳票は、それぞれの区間において記載されるひび割れ率が編集作業によって編集された結果であるか否かを識別する表示（編集済表示）を持つ点において帳票作成・出力部１１０が作成する帳票と異なる。
【０１３８】
編集済表示は、例えばひび割れ率の数字の右側に記載される（※）印である。編集済表示は、ひび割れ率のフォントを変更する、編集済表示の記載項目を新たに設けて記載する等、他の方法によって表示してもよい。帳票に編集済表示を記載することにより、その区間のひび割れ率が編集作業者によって確認されたものであることを示すことができる。なお、帳票を出力するときに編集済表示を記載するか否かを設定できるようにしてもよい。その後、表示制御部２０６は、ユーザの指示に応じて、入力情報記憶部２０２に記憶されているデータ及び編集結果データ記憶部２０５に記憶されているデータに基づき点検結果画面データを生成し、表示部２０７に表示させる（Ｓ３５）。
【０１３９】
Ｓ３１の処理において編集を実行しないと判断した場合（Ｓ３１；ＮＯ）、表示制御部２０６はユーザからの指示に応じて、入力情報記憶部２０２に記憶されているデータ及び編集結果データ記憶部２０５に記憶されているデータに基づき点検結果画面データを生成し、表示部２０７に表示させる。
【０１４０】
以上のように構成された第３の実施形態における舗装ひび割れ解析システムによれば、第１の実施形態と同様の効果を得ることができる。
また、第３の実施形態における舗装ひび割れ解析システムでは、舗装ひび割れ解析装置２において点検結果のデータの編集が可能できる。これにより、人が目視によって画像処理で認識されなかったひび割れや、誤って認識されたひび割れなどの修正することができる。そのため、より精度の高い結果を出力することができる。
【０１４１】
第３の実施形態におけるひび割れ解析システムの変形例について説明する。
本実施形態では、解析情報入力部２０１が、ネットワークデータ入力部２０１１及びメディアデータ入力部２０１２を持つ場合を示したが、解析情報入力部２０１はネットワークデータ入力部２０１１又はメディアデータ入力部２０１２のいずれか一方を持ってもよい。例えば、ネットワーク接続環境が有る場所に舗装ひび割れ解析装置２を設置する場合、少なくともネットワークデータ入力部２０１１を持つことにより、解析情報入力部２０１はネットワーク３を介してオンラインで入力情報を取得することができる。また、ネットワーク接続環境がない場所に舗装ひび割れ解析装置２を設置する場合、少なくともメディアデータ入力部２０１２を持つことにより、解析情報入力部２０１は記録メディアを介して入力情報を取得することができる。
また、舗装ひび割れ解析装置１ｂは、領域情報登録部１０２−２を備えなくてもよい。このように構成される場合、舗装ひび割れ解析装置１ｂのひび割れ率算出部１０７は、図１５に示す舗装ひび割れ解析装置１ａのひび割れ率算出部１０７ａと同様の方法でひび割れ率を算出する。
【０１４２】
図１７においては、第３の実施形態のひび割れ解析システムは舗装ひび割れ解析装置１及び舗装ひび割れ解析装置２を持つ場合を例示した。しかし、ひび割れ解析システムは舗装ひび割れ解析装置１と舗装ひび割れ解析装置２の機能を一つの装置で実施するものであってもよい。すなわち、図１６においては、舗装ひび割れ解析装置１のオルソ画像に変換された撮影画像、ひび割れ重畳画像、ひび割れ形状データ、又はひび割れデータ等の入力情報は、ネットワーク３又は記録メディアを介して舗装ひび割れ解析装置１から舗装ひび割れ解析装置２に受け渡される場合を示したが、舗装ひび割れ解析装置１と舗装ひび割れ解析装置２を一つの装置で実施することにより入力情報は同じ装置内で受け渡される。舗装ひび割れ解析装置１と舗装ひび割れ解析装置２を一つの装置で実施することにより、ひび割れの検出処理と編集処理を同じ装置において実施することができる。舗装ひび割れ解析装置１と舗装ひび割れ解析装置２を一つの装置で実施する場合、それぞれの装置における機能を統一して同じ機能ブロックで実装してもよい。例えば、解析情報入力部１０１と解析情報入力部２０１を同じ機能ブロックで実装する。同様に、入力情報記憶部１０５と入力情報記憶部２０２等を同じ機能ブロックで実装することができる。舗装ひび割れ解析装置１と舗装ひび割れ解析装置２の機能を同じ機能ブロックで実装することにより、ひび割れ解析システムの構成を簡略化してコストを削減することができる。
【０１４３】
以上説明した少なくとも一つの実施形態によれば、舗装ひび割れ検出部とひび割れ率算出部を持つことにより、ひび割れ率の算出に要する手間を軽減することができる。
【０１４４】
なお、上述した舗装ひび割れ解析装置は、コンピュータで実現するようにしてもよい。
その場合、各機能ブロックの機能を実現するためのプログラムをコンピュータ読み取り可能な記録媒体に記録する。この記録媒体に記録されたプログラムをコンピュータシステムに読み込ませ、ＣＰＵ（Central Processing Unit）が実行することで実現してもよい。ここでいう「コンピュータシステム」とは、ＯＳ（Operating System）や周辺機器等のハードウェアを含むものとする。また、「コンピュータ読み取り可能な記録媒体」とは、フレキシブルディスク、光磁気ディスク、ＲＯＭ（Read Only Memory）、ＣＤ−ＲＯＭ等の可搬媒体のことをいう。また、「コンピュータ読み取り可能な記録媒体」は、コンピュータシステムに内蔵されるハードディスク等の記憶装置を含む。
【０１４５】
さらに「コンピュータ読み取り可能な記録媒体」とは、短時間の間、動的にプログラムを保持するものを含んでいてもよい。短時間の間、動的にプログラムを保持するものは、例えば、インターネット等のネットワークや電話回線等の通信回線を介してプログラムを送信する場合の通信線である。また、「コンピュータ読み取り可能な記録媒体」には、サーバやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ（Field Programmable Gate Array）である。
また、舗装ひび割れ解析装置１、舗装ひび割れ解析装置１ａ、舗装ひび割れ解析装置１ｂ、及び舗装ひび割れ解析装置２の各機能部は、ソフトウェア機能部であるものとしたが、舗装ひび割れ解析装置、舗装ひび割れ解析装置１ａ、舗装ひび割れ解析装置１ｂ、及び舗装ひび割れ解析装置２の機能の一部又は全部は、ＬＳＩ等のハードウェア機能部であってもよい。
【０１４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４７】
１、１ａ、１ｂ、２…舗装ひび割れ解析装置、１０１、２０１…解析情報入力部、１０２−１…設定情報登録部、１０２−２…領域情報登録部、１０３…入力情報取得部、１０４…解析作業者登録部、１０５、２０２…入力情報記憶部、１０６…舗装ひび割れ検出部、１０７、１０７ａ…ひび割れ率算出部、１０８、１０８ｂ…点検結果データ記憶部、１０９…点検結果出力部、１１０、１１０ｂ…帳票作成・出力部、１１１、２０６…表示制御部、１１２、２０７…表示部、１１３…出力部、２０３…編集部、２０４…舗装ひび割れ情報反映部、２０５…編集結果データ記憶部
【図１】
2018021375.tif 000003
【図２】
2018021375.tif 000004
【図３】
2018021375.tif 000005
【図４】
2018021375.tif 000006
【図５】
2018021375.tif 000007
【図６】
2018021375.tif 000008
【図７】
2018021375.tif 000009
【図８】
2018021375.tif 000010
【図９】
2018021375.tif 000011
【図１０】
2018021375.tif 000012
【図１１】
2018021375.tif 000013
【図１２】
2018021375.tif 000014
【図１３】
2018021375.tif 000015
【図１４】
2018021375.tif 000016
【図１５】
2018021375.tif 000017
【図１６】
2018021375.tif 000018
【図１７】
2018021375.tif 000019
【図１８】
2018021375.tif 000020
【図１９】
2018021375.tif 000021
【図２０】
2018021375.tif 000022
【図２１】
2018021375.tif 000023